(57)【特許請求の範囲】
【請求項１】
縦桟及び横桟からなる下地フレームと、前記下地フレームを挟んで該フレームの側面に固定される一対の壁面材と、を有する間仕切壁パネルにより構築されている間仕切壁構造であって、
前記間仕切壁パネルにおいては、壁厚み方向に貫通する通気開口部が設けられており、前記通気開口部を上下に挟む一対の前記横桟の少なくとも一方が通気フレーム部材とされ、
複数のスラットを有してなる一対の通気ガラリが、前記通気開口部に通じる位置にて前記通気フレーム部材を挟んで両側から該通気フレーム部材に対して固定されていることを特徴とする建物の間仕切壁構造。
【請求項２】
前記通気フレーム部材は、該通気フレーム部材とされていない前記横桟よりも壁厚み方向の寸法が小さくされていることを特徴とする請求項１に記載の建物の間仕切壁構造。
【請求項３】
前記通気フレーム部材は、天井部との境界に配置され、前記天井部の天井下地材に対して固定されたものであることを特徴とする請求項２に記載の建物の間仕切壁構造。
【請求項４】
前記一対の通気ガラリの間に設けられ、該一対の通気ガラリの間を通気ガラリに沿って移動することで前記通気開口部を開閉するカーテン部材を備えていることを特徴とする請求項１乃至３のいずれか１項に記載の建物の間仕切壁構造。
【請求項５】
前記カーテン部材は、上下方向の両端部のうち一方が前記通気フレーム部材に支持されていることを特徴とする請求項４に記載の建物の間仕切壁構造。
【請求項６】
前記通気フレーム部材は、前記カーテン部材を収納可能なカーテン収納部を有しており、
前記カーテン部材は、前記カーテン収納部に収納されることで開放状態に移行し、前記カーテン収納部から繰り出されることで閉鎖状態に移行することを特徴とする請求項４又は５に記載の建物の間仕切壁構造。
【請求項７】
前記間仕切壁パネルは、人の出入りを可能とする出入口を有し、該出入口に開閉可能な開閉建具が設けられるものであり、
前記通気開口部は、前記間仕切壁パネルにおいて前記出入口の上方に配置されていることを特徴とする請求項４乃至６のいずれか１項に記載の建物の間仕切壁構造。
【請求項８】
請求項４乃至７のいずれかに記載の間仕切壁構造を備えた通気制御システムであって、
屋内の第１空間内の空気を還気口から取り込むことで空調空気を生成し、前記間仕切壁パネルを挟んで前記第１空間とは反対側の第２空間に配置された給気口から前記空調空気を吹き出すことで屋内空間の空調を行う空調設備を備えている建物に適用され、
前記空調設備による前記屋内空間の空調が行われているか否かを判定する手段と、
前記空調設備により空調が行われていると判定された場合に、前記カーテン部材を開放状態に移行させる処理を行う手段と、
を備えていることを特徴とする通気制御システム。
【発明の詳細な説明】
【技術分野】
【０００１】
本発明は、建物の間仕切壁構造及びそれを備えた通気制御システムに関するものである。
【背景技術】
【０００２】
住宅等の建物においては、建物内の換気を行うことを目的として換気口が外壁などに設けられている。また、建物が複数の部屋を有している場合には、それら部屋同士の通気を行うために間仕切壁やドアなどに通気開口部が設けられていることがある。この場合、通気ガラリが通気開口部に取り付けられていれば、これが目隠しとなることで通気開口部を通じては隣の部屋内が視認しにくくなる。例えば、通気ガラリは、通気開口部の内側に嵌め込まれた状態でその通気開口部に取り付けられている（例えば特許文献１）。
【先行技術文献】
【特許文献】
【０００３】
【特許文献１】特開２００１−２４１２７３号公報
【発明の概要】
【発明が解決しようとする課題】
【０００４】
しかしながら、通気ガラリが通気開口部の内側に嵌め込まれている構成では、通気開口部に通気ガラリを固定する場合、その作業性が悪いという不都合が考えられる。つまり、ネジ等の固定具を用いて通気ガラリを通気開口部に固定する際に通気ガラリが壁厚み方向に位置ずれするおそれがある。この場合、通気ガラリが壁厚み方向に位置ずれしないように、壁の両面側から手などで位置保持しながら通気ガラリの固定作業を行うことが考えられるが、これでは固定作業の困難性が高くなってしまう。
【０００５】
本発明は、間仕切壁に通気ガラリが取り付けられている構成において、通気ガラリの取り付け作業を容易化することを主たる目的とする。
【課題を解決するための手段】
【０００６】
上記課題を解決するために、第１の発明の建物の間仕切壁構造は、縦桟及び横桟からなる下地フレームと、前記下地フレームを挟んで該フレームの側面に固定される一対の壁面材と、を有する間仕切壁パネルにより構築されている間仕切壁構造であって、前記間仕切壁パネルにおいては、壁厚み方向に貫通する通気開口部が設けられており、前記通気開口部を上下に挟む一対の前記横桟の少なくとも一方が通気フレーム部材とされ、複数のスラットを有してなる一対の通気ガラリが、前記通気開口部に通じる位置にて前記通気フレーム部材を挟んで両側から該通気フレーム部材に対して固定されていることを特徴とする。
【０００７】
第１の発明によれば、通気ガラリが通気フレーム部材に取り付けられているため、通気フレーム部材は間仕切壁パネルの構造部材としての機能を果たしつつ、通気ガラリの取り付け下地として機能する。しかも、この場合、通気ガラリは通気フレーム部材の側面に対して取り付けられていることになる。このため、単に通気ガラリを通気フレーム部材に対して押し付けるという容易な作業を行うことで、ネジ等の固定具を用いて通気ガラリを通気フレーム部材に固定する際に通気ガラリが壁厚み方向に位置ずれすることを回避できる。したがって、間仕切壁に通気ガラリが取り付けられた構成において、通気ガラリの取り付け作業を容易化することができる。
【０００８】
第２の発明では、前記通気フレーム部材は、該通気フレーム部材とされていない前記横桟よりも壁厚み方向の寸法が小さくされている。
【０００９】
第２の発明によれば、通気ガラリの取り付け作業を容易化するために一対の通気ガラリが通気フレーム部材を挟んで取り付けられる構成において、通気フレーム部材の壁厚み方向の寸法が他の横桟よりも小さくされているため、通気ガラリが間仕切壁の壁面から側方に突出することを抑制できる。つまり、通気開口部における間仕切壁の厚さが他よりも大きくなることを抑制できる。したがって、通気ガラリによる間仕切壁の意匠性の低下を抑制し、しかも、通気ガラリの取り付け作業を容易化することができる。
【００１０】
第３の発明では、前記通気フレーム部材は、天井部との境界に配置され、前記天井部の天井下地材に対して固定されたものである。
【００１１】
第３の発明によれば、通気フレーム部材が天井下地材に固定されているため、通気フレーム部材の剛性が天井下地材により高められている。したがって、通気ガラリが間仕切壁から突出することを抑制するために通気フレーム部材の壁厚み方向の寸法が他の横桟より小さくされていても、通気ガラリに対する通気フレーム部材の支持強度が低下することを抑制できる。しかも、この場合、間仕切壁パネルと天井部とが構造部材同士で連結されていることになるため、間仕切壁パネルの上部に通気ガラリを設置しても間仕切壁パネルの強度が低下することを抑制できる。
【００１２】
第４の発明では、前記一対の通気ガラリの間に設けられ、該一対の通気ガラリの間を通気ガラリに沿って移動することで前記通気開口部を開閉するカーテン部材を備えている。
【００１３】
第４の発明によれば、カーテン部材により通気開口部を閉鎖することにより、通気開口部を通じての通気を遮断することができる。しかも、カーテン部材は通気ガラリの間を移動するため、カーテン部材を居住空間側から視認しにくくすることができる。したがって、カーテン部材により通気開口部の開閉が行われる構成において、間仕切壁の意匠性が低下することを抑制できる。
【００１４】
第５の発明では、前記カーテン部材は、上下方向の両端部のうち一方が前記通気フレーム部材に支持されている。
【００１５】
第５の発明によれば、通気フレーム部材は、間仕切壁パネルの構造部材としての機能及び通気ガラリの取り付け下地としての機能に加えて、さらにカーテン部材を支持する機能を果たすことになる。この場合、通気開口部がカーテン部材により開閉される構成において、カーテン部材を支持する専用部材を設ける必要がないため、その専用部材によって通気開口部の有効面積が小さくなることを回避できる。
【００１６】
第６の発明では、前記通気フレーム部材は、前記カーテン部材を収納可能なカーテン収納部を有しており、前記カーテン部材は、前記カーテン収納部に収納されることで開放状態に移行し、前記カーテン収納部から繰り出されることで閉鎖状態に移行する。
【００１７】
第６の発明によれば、通気開口部を通じて通気が行われている場合、カーテン部材が通気フレーム部材に収納されているため、通気開口部における有効通気寸法がカーテン部材により小さくなってしまうことを回避できる。
【００１８】
第７の発明では、前記間仕切壁パネルは、人の出入りを可能とする出入口を有し、該出入口に開閉可能な開閉建具が設けられるものであり、前記通気開口部は、前記間仕切壁パネルにおいて前記出入口の上方に配置されている。
【００１９】
第７の発明によれば、通気開口部に加えて出入口が間仕切壁パネルに設けられているため、間仕切壁を構成する複数の間仕切壁パネルにおいて特殊な形状を間仕切壁パネルに集約させることができる。これにより、特殊な形状が複数の間仕切壁パネルに分散させて付与されている構成に比べて、複数の間仕切壁パネルの形成を容易化できる。つまり、間仕切壁の構築を容易化できる。
【００２０】
第８の発明の通気制御システムは、第３乃至６の発明のいずれかに記載の間仕切壁構造を備えた通気制御システムであって、屋内の第１空間内の空気を還気口から取り込むことで空調空気を生成し、前記間仕切壁パネルを挟んで前記第１空間とは反対側の第２空間に配置された給気口から前記空調空気を吹き出すことで屋内空間の空調を行う空調設備を備えている建物に適用され、前記空調設備による前記屋内空間の空調が行われているか否かを判定する手段と、前記空調設備により空調が行われていると判定された場合に、前記カーテン部材を開放状態に移行させる処理を行う手段と、を備えていることを特徴とする。
【００２１】
空調に際して建物の内気が還気として取り込まれる居住空間（第１空間）と空調空気が給気として吹き出される居住空間（第２空間）とが間仕切壁により仕切られている場合、間仕切壁を通じて通気が行われることにより各居住空間に空調効果が付与される。ところが、居住空間同士の換気を目的としたドアのアンダーカット等の通気路では、空調に伴う通気量が不足して空調効率が低下すると考えられる。この点、第８の発明によれば、間仕切壁に設けられた通気開口部の有効開口面積を空調効率が低下しないような大きさに設定することが可能となる。しかも、通気開口部がカーテン部材により開閉される構成において、空調運転時にはカーテン部材が開放されるため、通気開口部での通気が遮断されて空調効率が低下するということを回避できる。
【００２２】
なお、空調効率が低下しないように通気開口部の有効開口面積が設定された構成においては、通気開口部を通じた通気量が大きいため、空調運転が停止されているにもかかわらず通気開口部を通じた通気により居住空間の温度変化が大きくなってしまうことが懸念される。そこで、空調設備により空調が行われていないと判定された場合に、カーテン部材を閉鎖状態に移行させることが好ましい。これにより、空調運転が停止されている場合に、通気開口部を通じた通気により居住空間の温度変化が生じることを抑制できる。
【００２３】
また、第８の発明を第７の発明に適用し、前記開閉建具としての開き戸が開放されるか否かを判定する手段と、前記カーテン部材が開放状態にあり且つ前記開き戸が開放されると判定された場合に前記カーテン部材を開放状態に移行させる処理を行う手段と、を備えている構成とすることが好ましい。ここで、居住空間の気密性が高められた高気密の建物においては、開き戸を開放する際に居住空間が正圧又は負圧となって人が開き戸を重く感じることが懸念される。この点、上記構成によれば、開き戸が開放される際にカーテン部材により通気開口部が開放されるため、居住空間の気密性が低下して開き戸に正圧又は負圧が加わることを抑制できる。これにより、人は高気密の建物において開き戸の開放作業を楽に行うことができる。
【図面の簡単な説明】
【００２４】
【図１】本実施形態における間仕切壁の構成を示す図。
【図２】間仕切壁パネル及び通気壁パネルの構成を示す分解斜視図。
【図３】通気壁パネルにおける通気ガラリ周辺の構成を示す分解斜視図。
【図４】スラットの構成を示す斜視図。
【図５】建物において通気ガラリ周辺の構成を示す縦断面図。
【図６】通気制御システムの概要を示す図。
【図７】別の通気壁パネルの構成を示す分解斜視図。
【発明を実施するための形態】
【００２５】
以下、本発明を具体化した一実施形態について図面を参照しつつ説明する。本実施形態では、屋内空間を複数の居住空間（空間部）に仕切る間仕切壁が設けられた建物にて具体化している。図１は間仕切壁１３の構成を示す図であり、図１においては、（ａ）に間仕切壁１３を正面から見た斜視図を示し、（ｂ）に間仕切壁１３の内部構造を示す。
【００２６】
図１（ａ）に示すように、建物１０には間仕切壁１３が設けられており、間仕切壁１３は隣り合う部屋等の居住空間を仕切っている。間仕切壁１３は、略矩形板状の間仕切壁パネル１５が横並びに複数配置されることで形成されている。各間仕切壁パネル１５は、屋内空間の天井高さとほぼ同じ高さ寸法を有しており、その上端が天井部１６ａに対して固定され、下端が床部１６ｂに対して固定されている。
【００２７】
間仕切壁１３には通気開口部１７が設けられており、通気開口部１７は、間仕切壁１３により仕切られた居室同士の通気を可能としている。通気開口部１７は、複数の間仕切壁パネル１５のいずれかに形成されており、通気開口部１７が形成された間仕切壁パネル１５を通気壁パネル１５ａとする。通気開口部１７は、通気壁パネル１５ａの上部を壁厚み方向に貫通しており、通気開口部１７には通気可能な通気ガラリ１８が取り付けられている。
【００２８】
通気壁パネル１５ａには、通気開口部１７の下方に出入口１９が設けられている。出入口１９は、通気開口部１７と同様に通気壁パネル１５ａを壁厚み方向に貫通している。出入口１９には建具枠としてのドア枠２２が取り付けられており、ドア枠２２には開閉建具としてのドア２１が開閉可能に軸支されている。ドア枠２２は略矩形状に形成されており、ドア２１は例えば開き戸とされている。
【００２９】
次に、間仕切壁パネル１５及び通気壁パネル１５ａについて図１（ｂ）、図２を参照しつつ説明する。図２は、それら壁パネル１５，１５ａの構成を示す分解斜視図であり、（ａ）に間仕切壁パネル１５を示し、（ｂ）に通気壁パネル１５ａを示す。なお、（ｂ）においてはドア２１の図示を省略している。
【００３０】
図２（ａ）に示すように、間仕切壁パネル１５は、略矩形状の下地フレーム２４と、その下地フレーム２４を挟んで設けられた一対の壁面材２５とを有している。下地フレーム２４は、互いに離間して設けられた一対の縦桟２６と、それら縦桟２６を連結する横桟２７とを有している。縦桟２６は鉛直方向に延びており、横桟２７は水平方向に延びている。縦桟２６及び横桟２７は木材等によりそれぞれ長尺状に形成されており、壁厚み方向の寸法（幅寸法）が同じ大きさとされている。横桟２７は所定の間隔で上下方向に並べて配置されており、下地フレーム２４においては、上下両端の各横桟２７と一対の縦桟２６とにより矩形状の外枠が形成されている。
【００３１】
一対の壁面材２５は、石膏ボード等により形成されており、下地フレーム２４の外枠（周縁部）と同じ大きさ及び形状とされている。一対の壁面材２５は、下地フレーム２４を挟んで配置されており、それら壁面材２５の離間距離は下地フレーム２４の壁厚み方向の寸法（縦桟２６及び横桟２７の幅寸法）とほぼ同じになっている。壁面材２５は下地フレーム２４の居住空間側の面にビス等の固定具により固定されており、居住空間側の板面に壁紙が貼り付けられることで壁面を形成している。
【００３２】
図１（ｂ）に示すように、通気壁パネル１５ａの下地フレーム２４ａは、横桟２７と同様に水平方向に延び且つ一対の縦桟２６を連結する通気フレーム部材３１を有している。通気フレーム部材３１は、壁厚み方向の寸法が縦桟２６（下地フレーム２４ａ）よりも小さくされ、下地フレーム２４ａにおいて上２つの横桟２７に代えて設けられており、これら通気フレーム部材３１の離間部分が通気開口部１７とされている。この場合、通気開口部はこの一対の通気フレーム部材３１により上下に挟まれた状態となっている。
【００３３】
下地フレーム２４ａにおいては、一対の通気フレーム部材３１の下方に横桟２７が設けられておらず、横桟２７の非設置部分が出入口１９とされている。ドア枠２２は出入口１９に嵌め込まれた状態で取り付けられている。つまり、ドア枠２２は一対の縦桟２６の間に入り込み、且つ一対の通気フレーム部材３１の下側に入り込んだ状態となっている。この場合、ドア枠２２の上枠部（鴨居）が、一対の通気フレーム部材３１のうち下側の通気フレーム部材３１の下面に対してビス等の固定具により固定され、縦枠部が縦桟２６の内側面（一対の縦桟２６が対向する面）に対して固定具により固定されている。
【００３４】
なお、図１（ｂ）においては、壁面材２５が取り付けられていない状態の間仕切壁パネル１５と、通気ガラリ１８が取り付けられていない状態の通気壁パネル１５ａとを図示している。
【００３５】
図２（ｂ）に示すように、通気ガラリ１８は、通気壁パネル１５ａの両壁面側のそれぞれに配置されており、両方で一対とされている。各通気ガラリ１８は、一対の縦桟２６の内側に入り込んだ状態で通気フレーム部材３１の側面に対して固定されている。
【００３６】
通気フレーム部材３１は、上記のとおり、壁厚み方向の寸法が縦桟２６（下地フレーム２４ａ）よりも小さくされている。つまり、間仕切壁パネル１５の横桟２７よりも小さくされている。具体的には、通気フレーム部材３１の壁厚み方向の寸法は、通気フレーム部材３１の側面に通気ガラリ１８が取り付けられた状態でその通気ガラリ１８が壁面材２５よりも壁外側に突出しない（図５参照）大きさとされている。
【００３７】
下地フレーム２４ａの居住空間側の各面には、壁面を形成する壁面材片３２がそれぞれ取り付けられている。壁面材片３２は、間仕切壁パネル１５の壁面材２５と同じ材料により形成されており、上下方向に延びる長尺材とされている。壁面材片３２は、通気ガラリ１８及びドア枠２２の側方に配置されており、ビス等の固定具により縦桟２６に対して固定されている。
【００３８】
通気ガラリ１８について図３〜図５を参照しつつ説明する。図３は通気壁パネル１５ａにおける通気ガラリ１８周辺の構成を示す分解斜視図、図４はスラット３５の構成を示す斜視図、図５は建物１０において通気ガラリ１８周辺の構成を示す縦断面図である。
【００３９】
図３に示すように、一対の通気ガラリ１８は、複数のスラット３５と、それらスラット３５を連結する連結部材３６とをそれぞれ有している。各スラット３５は、互いに離間して上下方向に並べて配置されており、その離間部分を通じて通気が行われるようになっている。スラット３５は長尺板状に形成されており、水平方向に延びている。一対の通気ガラリ１８のそれぞれにおいて、各スラット３５は短手方向における居住空間側の端部が上端となるように傾斜している。これにより、間仕切壁１３により仕切られた両居住空間のいずれの居住空間から人が通気ガラリ１８を見上げても、スラット３５間の隙間が見えにくくなっている。つまり、スラット３５間の隙間から隣の居住空間や一対の通気フレーム部材３１などが見えにくくなっている。なお、通気フレーム部材３１の居住空間側の側面には壁紙が貼り付けられており、通気フレーム部材３１が目立たないようにされている。
【００４０】
連結部材３６は、上下方向に延びる長尺材とされており、各スラット３５の両端側のそれぞれに配置されている。連結部材３６は、各スラット３５の居住空間とは反対側（各スラット３５の上端側）の端部同士を上下に連結している。連結部材３６は、上下両端部が一対の通気フレーム部材３１のそれぞれに当接した状態で、例えばボルトが上下両端のボルト孔３６ａを通じて通気フレーム部材３１に螺着されることにより下地フレーム２４ａに対して固定されている。なお、連結部材３６は、各スラット３５の中央寄りの部分を上下に連結していてもよい。
【００４１】
図４に示すように、スラット３５は長手方向に伸縮可能とされていてもよい。この場合、スラット３５はそれぞれ長尺状に形成された第１部材３７及び第２部材３８を有しており、それら第１部材３７及び第２部材３８は、互いに少なくとも一部が重なった状態で長手方向への相対的なスライド移動が可能とされている。第２部材３８には、その長手方向に沿って延びる溝部３９が形成されており、第１部材３７はその溝部３９内にスライド移動可能な状態ではめ込まれている。第１部材３７と第２部材３８とは、スラット３５が通気開口部１７の幅方向に合わせた長さとなるようにビス等の固定具により固定されている。通気ガラリ１８の各スラット３５はそれぞれ同じ長さに設定されている。
【００４２】
図３、図５に示すように、連結部材３６は、通気壁パネル１５ａにおいて一対の通気フレーム部材３１には、一対の通気ガラリ１８の間を上下方向にスライド移動することで通気開口部１７を開閉するカーテン部材４１が設けられている。一対の通気フレーム部材３１のうち上側の通気フレーム部材３１は、カーテン部材４１用の収納スペースを有するカーテンケースとされている。カーテン部材４１は、布等の柔軟性を有する材料により形成されており、その上端を中心に巻かれた状態で上側の通気フレーム部材３１内に収納されている。カーテン部材４１は、上側の通気フレーム部材３１に収納されることで通気開口部１７を開放し、通気フレーム部材３１から繰り出されることで通気開口部１７を閉鎖する。カーテン部材４１は通気遮断性を有しており、閉鎖状態ある場合に通気開口部１７を通じた通気を遮断することが可能となっている。この場合、カーテン部材４１は通気遮断手段に相当する。
【００４３】
上側の通気フレーム部材３１には、カーテン部材４１の開閉駆動を行うカーテン駆動部４２が設けられている（図６参照）。カーテン駆動部４２は電気モータを含んで構成されており、カーテン部材４１はカーテン駆動部４２の駆動に伴って昇降する。
【００４４】
天井部１６ａは、天井面を形成する天井板４５と、天井板４５を上方から支持する天井下地材４６とを有している。天井板４５は石膏ボード等により形成されており、天井下地材４６は天井小梁や野縁等により形成されている。天井板４５の下面には一対の通気フレーム部材３１のうち上側の通気フレーム部材３１が当接している。前記上側の通気フレーム部材３１は、通気壁パネル１５ａの上端において天井板４５を挟んで天井下地材４６の下方に配置されており、釘等の固定具により天井板４５を通じて天井下地材４６に対して固定されている。これにより、通気フレーム部材３１が通気ガラリ１８からの荷重により下方に撓むことを抑制できる。なお、上側の通気フレーム部材３１は、間仕切壁１３において天井部１６ａとの境界に配置されていることになる。
【００４５】
通気壁パネル１５ａの下地フレーム２４ａにおいては、一対の通気フレーム部材３１が上２つの横桟２７に代えて設けられているため、通気開口部１７の有効高さが一対の通気フレーム部材３１の離間距離となっている。この場合、間仕切壁パネル１５の下地フレーム２４において上２つの横桟２７の離間距離と同じ大きさとなっている。このため、例えば２つの横桟２７の間において、一対の通気フレーム部材３１のうち上側の通気フレーム部材３１が上の横桟２７の下面に取り付けられ且つ下側の通気フレーム部材３１が下の横桟２７の上面に取り付けられた構成に比べて、２つの横桟２７の高さ方向の合計寸法の分だけ通気開口部１７の有効高さが大きくなっている。
【００４６】
建物１０においては、カーテン部材４１を用いて通気開口部１７の通気状態を制御する通気制御システムが構築されている。通気制御システムについて図６を参照しつつ説明する。図６は、通気制御システムの概要を示す図である。
【００４７】
図６に示すように、建物１０には、居住空間として、機械室５１とリビング５２と廊下５３とを有している。間仕切壁１３は機械室５１とリビング５２とを仕切っており、それら機械室５１とリビング５２との通気は通気壁パネル１５ａの通気開口部１７を通じて行われる。リビング５２と廊下５３とは間仕切壁５５により仕切られており、その間仕切壁５５には通気路５６が設けられている。この場合、廊下５３と機械室５１との通気は間仕切壁５５の通気路５６、リビング５２、間仕切壁１３の通気開口部１７を通じて行われる。なお、通気路５６は、ドアの通気口やアンダーカットなどにより形成されている。
【００４８】
機械室５１やリビング５２といった居住空間の下方には床下空間５８が設けられており、それら居住空間と床下空間５８とは床部１６ｂにより上下に仕切られている。床部１６ｂは、床大梁や床下地材、床仕上材などにより形成されている。
【００４９】
建物１０においては、通気制御システムに加えて全館空調システムが構築されている。全館空調システムは、空調装置６１を含んで構成されており、空調装置６１は機械室５１に設置されている。空調装置６１は、建物１０内の空気（内気）を還気ＲＡとして取込口６２から取り込み、その還気ＲＡを加熱又は冷却して空調空気を生成するとともにその空調空気を給気ＳＡとして吹出口６３から吹き出す。取込口６２は空調装置６１に設けられており、機械室５１内の空気を還気ＲＡとして取り込む。吹出口６３は、リビング５２及び廊下５３において床部１６ｂにそれぞれ設けられており、リビング５２及び廊下５３のそれぞれにおいて給気ＳＡを上方に向けて吹き出す。吹出口６３は、空調ダクト６４により空調装置６１に接続されている。ここでは、取込口６２が還気口に相当し、吹出口６３が給気口に相当する。また、機械室５１が第１空間に相当し、リビング５２及び廊下５３が第２空間に相当する。
【００５０】
なお、吹出口は、キッチンなど他の居住空間にも設けられており、他の居住空間は廊下５３と同様に、吹出口６３が設けられ且つリビング５２を通じて機械室５１と通気可能にされた空間部となっている。また、空調装置６１は、空調空気を生成する生成部と、空気の取り込み及び吹き出しを行う給気ファンとを有している。
【００５１】
空調装置６１は、マイクロコンピュータからなる制御部を有している。制御部は、人により設定された温度や湿度を目標環境として、温度センサや湿度センサにより検出された実環境が目標環境となるように空調運転を行う。空調運転に際して、各吹出口６３から給気ＳＡが吹き出された場合、給気ＳＡの量とほぼ同じ量の還気ＲＡが取込口６２から空調装置６１に取り込まれる。
【００５２】
ここで、全館空調に際して、リビング５２以外の居住空間の空気はリビング５２を通じて機械室５１に流れ込むため、リビング５２から機械室５１に流れ込む空気量は、廊下５３等からリビング５２に個別に流れ込む各空気量の総和となる。この場合、間仕切壁１３の出入口１９においてドア２１が閉鎖されていると、ドア２１にアンダーカットが設けられていてもリビング５２から機械室５１に流れ込む空気量が不足するため、その不足分を補うために間仕切壁１３に通気開口部１７が設けられている。通気開口部１７の有効開口面積は、機械室５１に流れ込む空気量が不足しないように設定されている。これにより、機械室５１に流れ込む空気量が不足して空調装置６１による全館空調の空調効率が低下してしまうということを回避できる。
【００５３】
通気制御システムにおいて、制御手段としてのコントローラ７１は、ＣＰＵや各種メモリ等からなるマイクロコンピュータを含んで構成されており、例えばリビング５２の内壁面に取り付けられている。
【００５４】
コントローラ７１には、ドア２１が開放されたことを検出するドア開放センサ７２と、ドア２１のドアノブに人が触れたことを検出するドアノブセンサ７３とが接続されており、それらセンサ７２，７３は検出信号をコントローラ７１に対して出力する。ドア開放センサ７２は、ドア２１に設けられており、ドア２１のラッチがドア枠２２のラッチ受部に係止（接触）していることを検出する。ドアノブセンサ７３はドアノブに設けられている。コントローラ７１は、ドア開放センサ７２によりドア２１の開放が検出されていない場合（ドア２１が閉鎖されている場合）に、ドアノブセンサ７３の検出信号に基づいてドアノブに人が触ったか否かを判定し、触った場合にこれからドア２１が開放されるとする。
【００５５】
コントローラ７１には、カーテン駆動部４２と空調装置６１とが接続されている。コントローラ７１は、指令信号を出力することによりカーテン駆動部４２の動作制御を行う。空調装置６１は、都度の運転状態を検出信号としてコントローラ７１に出力する。
【００５６】
コントローラ７１は、空調装置６１の検出信号に基づいて空調装置６１が空調運転を行っているか否かを判定し、行っていない場合にカーテン部材４１により通気開口部１７を閉鎖させる。この場合、通気開口部１７を通じたリビング５２と機械室５１との通気が遮断されるため、通気開口部１７の通気可能な空気量が通常より大きく設定されていても、空調停止時において機械室５１との通気によってリビング５２の温度が変化するということを抑制できる。一方、空調装置６１が空調運転を行っている場合、カーテン部材４１により通気開口部１７を開放させる。この場合、リビング５２から機械室５１に流れ込む空気量が十分に確保されるため、空調装置６１による全館空調の空調効率が低下することを抑制できる。
【００５７】
また、コントローラ７１は、ドア開放センサ７２及びドアノブセンサ７３の検出信号に基づいてドア２１が開放されるか否かを判定し、空調停止時にドア２１が開放される場合に、カーテン部材４１により通気開口部１７を開放させる。居住空間の高気密化が実現された建物１０においては、通気開口部１７にて通気が遮断されていると、ドア２１を開放する際にリビング５２や機械室５１内が正圧又は負圧となって人がドア２１を重く感じることが懸念される。これに対して、ドア２１を開放するよりも前に通気開口部１７が開放されるため、ドア２１の開放に際して機械室５１とリビング５２とで通気が行われて人がドア２１を重く感じることが回避される。
【００５８】
以上詳述した本実施形態によれば、以下の優れた効果が得られる。
【００５９】
通気壁パネル１５ａにおいて、２つの横桟２７に代えて一対の通気フレーム部材３１が設けられているため、通気フレーム部材３１は、通気壁パネル１５ａの構造部材としての機能を果たしつつ、通気ガラリ１８の取り付け下地として機能する。しかも、この場合、通気ガラリ１８は通気フレーム部材３１における居住空間側の側面に取り付けられているため、単に通気ガラリ１８を通気フレーム部材３１に対して押し付けるという容易な作業を行うことで、ネジ等の固定具を用いて通気ガラリ１８を通気フレーム部材３１に固定する際に通気ガラリ１８が壁厚み方向に位置ずれすることを回避できる。したがって、間仕切壁１３に通気ガラリ１８が取り付けられた構成において、通気ガラリ１８の取り付け作業を容易化することができる。
【００６０】
通気壁パネル１５ａにおいて一対の通気フレーム部材３１は、壁厚み方向の寸法が他の下地フレーム２４の横桟２７より小さくされているため、通気ガラリ１８が通気壁パネル１５ａの壁面よりも壁外側に突出することを抑制できる。つまり、通気開口部１７における間仕切壁１３の厚さが他の部分よりも大きくなることを抑制できる。したがって、通気ガラリ１８により間仕切壁１３の意匠性が低下することを抑制し、しかも、通気ガラリ１８の取り付け作業を容易化することができる。
【００６１】
一対の通気フレーム部材３１のうち上側の通気フレーム部材３１が天井下地材４６に対して固定されてため、天井下地材４６により通気フレーム部材３１の剛性が高められている。したがって、横桟２７に比べて通気フレーム部材３１の壁厚み方向の寸法が小さくされていても、通気ガラリ１８に対する通気フレーム部材３１の支持強度が低下することを抑制できる。しかも、通気壁パネル１５ａと天井部１６ａとが構造部材同士で連結されているため、通気壁パネル１５ａの上部に通気ガラリ１８を取り付けても通気壁パネル１５ａの強度が低下することを抑制できる。
【００６２】
通気フレーム部材３１を挟んで一対の通気ガラリ１８が設けられており、それら通気ガラリ１８の間にカーテン部材４１が設けられているため、カーテン部材４１を居住空間側（例えばリビング５２側）から視認しにくくできる。したがって、カーテン部材４１により通気開口部１７が開閉される構成において、間仕切壁１３の意匠性が低下することを抑制できる。
【００６３】
カーテン部材４１が一対の通気フレーム部材３１の一方に開閉可能な状態で取り付けられているため、通気フレーム部材３１は、間仕切壁パネル１５の構造部材としての機能及び通気ガラリ１８の取り付け下地としての機能に加えて、さらにカーテン部材４１を支持する機能を果たすことになる。この場合、カーテン部材４１を支持する専用部材を一対の通気ガラリ１８の間に設ける必要がないため、その専用部材によって通気開口部１７の有効開口面積が小さくなることを回避できる。つまり、通気開口部１７における通気効率が専用部材によって低下することを回避できる。
【００６４】
一対の通気フレーム部材３１の一方がカーテンケースとされているため、開放状態にあるカーテン部材４１は通気フレーム部材３１の内部に収納されている。この場合、開放状態にあるカーテン部材４１が通気フレーム部材３１に収納されない構成とは異なり、通気開口部１７の有効開口面積がカーテン部材４１により小さくなることを回避できる。
【００６５】
空調装置６１により空調運転が行われている場合に、リビング５２から機械室５１に流れ込む空気量を通気開口部１７により確保することができる。しかも、空調運転の開始に際してカーテン部材４１により通気開口部１７が開放されるため、通気開口部１７での通気が遮断されて空調効率が低下するという不都合を回避できる。また、空調運転が停止されている場合には、カーテン部材４１により通気開口部１７が閉鎖されるため、通気開口部１７を通じて通気が行われることによりリビング５２の温度変化が生じるということを回避できる。
【００６６】
間仕切壁１３が複数の間仕切壁パネル１５により形成されている構成において、通気開口部１７及び出入口１９の両方が通気壁パネル１５ａに配置されているため、特殊な形状を通気壁パネル１５ａに集約することができる。これにより、出入口１９が通気壁パネル１５ａ以外の間仕切壁パネル１５に形成されている構成とは異なり、通気壁パネル１５ａ以外の間仕切壁パネル１５の形成を容易化できる。つまり、間仕切壁１３の構築を容易化できる。
【００６７】
間仕切壁１３のドア２１が開放される際にカーテン部材４１により通気開口部１７が開放されるため、建物１０の高気密化が図られていても、リビング５２や機械室５１が正圧又は負圧となることを抑制できる。これにより、人がドア２１を開放する際に空気圧によりドア２１が重く感じることを抑制できる。
【００６８】
（他の実施形態）
本発明は上記実施形態の記載内容に限定されず、例えば次のように実施してもよい。
【００６９】
（１）通気壁パネル１５ａには出入口１９が設けられていなくてもよい。例えば、図７示すように、通気壁パネル１５ａにおいて通気開口部１７の下方に壁面材２５が設けられている構成とする。この構成では、一対の通気フレーム部材３１の下方には、壁面材２５を支持するための横桟２７が複数設けられている。これら横桟２７のうち最上段の横桟２７は下側の通気フレーム部材３１に対してビス等の固定具により固定されている。この場合、それら横桟２７及び通気フレーム部材３１のそれぞれの剛性が相乗的に高められている。つまり、下側の通気フレーム部材３１による通気ガラリ１８の支持強度を高めることができる。
【００７０】
上記構成において、下側の通気フレーム部材３１は設けられていなくてもよい。この場合、通気ガラリ１８は、最上段の横桟２７の上面に対して取り付け固定されていることが好ましい。ただし、通気ガラリ１８を横桟２７の上面や下面、縦桟２６の内側面にビス等の固定具により固定する作業はスラット３５等が作業の支障となって困難性が高いため、上記構成のように通気ガラリ１８を通気フレーム部材３１の側面にビス等の固定具により固定することが好ましい。
【００７１】
（２）通気壁パネル１５ａにおいては、一対の通気フレーム部材３１のうち少なくとも一方が設けられていればよい。例えば、通気開口部１７を上下に挟む一対の横桟２７のうち下側が壁厚さに合わせた幅寸法を有する横桟２７とされ、上側が横桟２７よりも幅寸法が小さい通気フレーム部材３１とされた構成とする。つまり、図１に示す一対の通気フレーム部材３１のうち上側の通気フレーム部材が設けられている構成とする。この構成では、一対の通気ガラリ１８の各上端が通気フレーム部材３１を挟んでその両側面に対して取り付け固定されている。この構成でも、通気ガラリが間仕切壁の壁面から側方に突出することを抑制できる。なお、それら通気ガラリ１８の各下端は一対の縦桟２６の内側面（通気開口部１７側の側面）に対して取り付け固定されているとよい。
【００７２】
（３）通気開口部１７は、通気壁パネル１５ａの上部でなく下部や中央部に配置されていてもよい。
【００７３】
（４）カーテン部材４１は通気フレーム部材３１の内部に収納されない構成でもよい。例えば、通気フレーム部材３１が、水平方向に延びる回転軸を有するように縦桟２６に対して回転可能に軸支されており、通気フレーム部材３１の回転に伴ってカーテン部材４１が通気フレーム部材３１の外周側に巻き取られる構成とする。また、カーテン部材４１が蛇腹状に形成され、折りたたまれることで通気開口部１７を開放する構成としてもよい。
【００７４】
（５）カーテン部材４１が水平方向に移動することで通気開口部１７が開閉される構成としてもよい。この場合、カーテン部材４１の一端が、一対の縦桟２６のうち一方に取り付け固定されていることが好ましい。
【００７５】
（６）通気壁パネル１５ａの出入口１９には、開閉建具として引き違い式の引き戸が設けられていてもよい。この場合、リビング５２の気密性が高くされていても、引き戸の開放に際してリビング５２や機械室５１が正圧又は負圧とならないため、人が引き戸を開放する際に空気圧により引き戸が重く感じることを抑制できる。
【００７６】
（７）通気ガラリ１８において各スラット３５は、短手方向における居住空間側の端部が下端となるように傾斜していてもよい。また、スラット３５は鉛直方向に延びていてもよい。
【００７７】
（８）コントローラ７１は、ドア２１が閉鎖されている場合に通気開口部１７をカーテン部材４１により開放し、ドア２１が開放されている場合に通気開口部１７をカーテン部材４１により閉鎖する処理を行ってもよい。これにより、通気開口部１７又は出入口１９を通じリビング５２と機械室５１との通気を常に行うことができる。
【００７８】
（９）通気開口部１７が通気ガラリ１８のスラット３５により通気遮断される構成としてもよい。例えば、通気ガラリ１８において各スラット３５が連結部材３６に対して回動可能に軸支され、各スラット３５は回動することで、隣り合うスラット３５の間の隙間を開閉する。つまり、通気開口部１７を開閉する。この場合、スラット３５が通気遮断手段に相当する。したがって、空調装置６１により空調運転が行われている場合にスラット３５を通気状態に移行させることにより、空調効率の低下を回避することができる。
【００７９】
（１０）通気壁パネル１５ａにおいて、通気フレーム部材３１は壁厚み方向の寸法が横桟２７とほぼ同じとされていてもよい。この場合でも、通気ガラリ１８が通気フレーム部材３１の側面に取り付けられることにより、その取り付け作業を容易化できる。
【符号の説明】
【００８０】
１０…建物、１３…間仕切壁、１５…間仕切壁パネル、１５ａ…間仕切壁パネルとしての通気壁パネル、１６ａ…天井部、１７…通気開口部、１８…通気ガラリ、１９…出入口、２１…ドア、２４…下地フレーム、２５…壁面材、２６…縦桟、２７…横桟、３１…カーテン収納部を有する通気フレーム部材、３５…スラット、４１…通気遮断部材としてのカーテン部材、４６…天井下地材、６１…空調設備を構成する空調装置、６２…空調設備を構成する取込口、６３…空調設備を構成する吹出口、６４…空調設備を構成する空調ダクト、７１…コントローラ。
【図１】
0005759767.tif 000002
【図２】
0005759767.tif 000003
【図３】
0005759767.tif 000004
【図４】
0005759767.tif 000005
【図５】
0005759767.tif 000006
【図６】
0005759767.tif 000007
【図７】
0005759767.tif 000008